(57)【要約】【課題】簡易な構造で、各機器間の通信経路を構築できる空調装置の提供。【解決手段】熱源媒体を生成するセントラル熱源機１と、セントラル熱源機１で生成された熱源媒体により空調対象エリアの空調を行う複数のファンコイルユニット２ａ〜２ｃと、ファンコイルユニット２ａ〜２ｃに対応してそれぞれ設けられ、空調操作を行う操作用リモートコントローラ３ａ〜３ｃと、ファンコイルユニット２ａ〜２ｃの運転状況に応じてセントラル熱源機１を制御する中央制御手段（４）とを有する空調装置において、操作用リモートコントローラ３ａ〜３ｃに、商用電源線６を介して通信を行う機能を有する信号変換アダプタ５ａ〜５ｃを設けるとともに、中央制御手段（４）に商用電源線６を介して通信を行う機能を備え、操作用リモートコントローラ３ａ〜３ｃおよび中央制御手段（４）が商用電源線６を介して互いに出力信号の送受信を行うようにしたものである。【選択図】図１
2008089267.tif 000002
【特許請求の範囲】
【請求項１】
冷房用または暖房用の熱源媒体を生成するセントラル熱源機と、このセントラル熱源機に配管を介して接続されるとともに空調対象エリアに設置され、前記セントラル熱源機で生成された熱源媒体により前記空調対象エリアの空調を行う複数のファンコイルユニットと、各ファンコイルユニットに対応してそれぞれ設けられ、空調操作を行う操作用リモートコントローラと、これらの操作用リモートコントローラに接続されるとともに、前記ファンコイルユニットの運転状況に応じて前記セントラル熱源機を制御する中央制御手段とを有する空調装置において、
前記操作用リモートコントローラおよび前記中央制御手段に接続される信号変換アダプタを設け、これらの信号変換アダプタを商用電源用コンセントに接続することにより、前記操作用リモートコントローラおよび前記中央制御手段は商用電源線を介して互いに出力信号の送受信を行うことを特徴とする空調装置。
【請求項２】
前記操作用リモートコントローラは、前記空調対象エリアの温度を検知して設定温度との偏差に基づき、対応するファンコイルユニットの風量あるいは前記熱源媒体の流量を制御する制御出力機能を具備することを特徴とする請求項１記載の空調装置。
【請求項３】
前記操作用リモートコントローラに接続される前記信号変換アダプタは、自己の電源供給および通信を共通の回線を介して行うことを特徴とする請求項１記載の空調装置。
【発明の詳細な説明】
【技術分野】
【０００１】
本発明は、所定のセントラル熱源機に対して複数のファンコイルユニットを接続して空調対象エリアの空調を行う空調装置に関するものである。
【背景技術】
【０００２】
所定のセントラル熱源機と、このセントラル熱源機により生成される熱源媒体を利用して空調を行うファンコイルユニットとを備えた空調装置では、ファンコイルユニットを操作する操作リモートコントロールとセントラル熱源機を制御する中央制御手段とを通信線で接続し、セントラル熱源機とファンコイルユニットとを連動して運転するように構成したものが一般的である。
【０００３】
また、通信線の代わりに、音波受発信機を空調配管に配置し、これらの音波受発信機により制御信号を送受信するようにしたものが提案されている（例えば、特許文献１参照）。
【特許文献１】特開平８−３０３８３８号公報
【発明の開示】
【発明が解決しようとする課題】
【０００４】
前述した前者の操作用リモートコントローラと中央制御手段とを通信線により接続するものにあっては、通信線を独立して敷設する必要があるが、この敷設作業は屋根裏等に入っての作業となることから、多大の労力および時間を要する。特に、既設の空調設備に改めて通信線を敷設する場合や、一部新規に増設したファンコイルユニットと中央制御手段を接続するために通信線の敷設を行うことは容易ではなかった。
【０００５】
また、後者の音波受発信機を空調配管に配置するものにあっては、配管途中に音波受発信機を設置する関係上、設置作業が大掛かりとなるとともに、配管途中に設けられる仕切り弁が閉じている場合には、情報伝達ができないという問題があった。
【０００６】
本発明は、前述した従来技術における実状からなされたもので、その目的は、簡易な構造で、各機器間の通信経路を構築することのできる空調装置を提供することにある。
【課題を解決するための手段】
【０００７】
前記目的を達成するために、本発明は、冷房用または暖房用の熱源媒体を生成するセントラル熱源機と、このセントラル熱源機に配管を介して接続されるとともに空調対象エリアに設置され、前記セントラル熱源機で生成された熱源媒体により前記空調対象エリアの空調を行う複数のファンコイルユニットと、各ファンコイルユニットに対応してそれぞれ設けられ、空調操作を行う操作用リモートコントローラと、これらの操作用リモートコントローラに接続されるとともに、前記ファンコイルユニットの運転状況に応じて前記セントラル熱源機を制御する中央制御手段とを有する空調装置において、前記操作用リモートコントローラおよび前記中央制御手段に接続される信号変換アダプタを設け、これらの信号変換アダプタを商用電源用コンセントに接続することにより、前記操作用リモートコントローラおよび前記中央制御手段は商用電源線を介して互いに出力信号の送受信を行うことを特徴としている。
【０００８】
このように構成した本発明は、各操作用リモートコントローラおよび中央制御手段のそれぞれに信号変換アダプタを接続するとともに、これらの信号変換アダプタを商用電源用コンセントに接続する。これにより、各操作用リモートコントローラおよび中央制御手段は信号変換アダプタ、商用電源用コンセントおよび商用電源線を介して互いに接続され、出力信号の送受信が可能となる。このように、操作用リモートコントローラおよび中央制御手段に接続される信号変換アダプタにより商用電源線が通信線として利用可能となることから、簡易な構造で、各機器、すなわち操作用リモートコントローラと中央制御手段との間の通信経路を構築することができる。
【発明の効果】
【０００９】
本発明によれば、操作用リモートコントローラおよび中央制御手段に信号変換アダプタを接続し、この信号変換アダプタを商用電源用コンセントに差し込むことにより商用電源線が通信線として利用可能となることから、操作用リモートコントローラと中央制御手段との間の通信経路を容易に構築することができ、特に、既設の空調設備に改めて通信経路を構築する場合や、一部新規に増設したファンコイルユニットと中央制御手段を接続するために通信経路を構築する場合に容易に対応することができる。
【発明を実施するための最良の形態】
【００１０】
以下、本発明に係る空調装置の実施の形態を図に基づいて説明する。
【００１１】
図１は本発明に係る空調装置の一実施形態を示す概略構成図である。
【００１２】
本実施形態の空調装置は図１に示すように、冷房用または暖房用の熱源媒体を生成する、例えば１台のセントラル熱源機１と、このセントラル熱源機１に図示しない配管を介して接続されるとともに空調対象エリアに設置され、セントラル熱源機１で生成された熱源媒体により空調対象エリアの空調を行う複数のファンコイルユニット２ａ、２ｂ、２ｃと、各ファンコイルユニット２ａ〜２ｃに対応してそれぞれ設けられ、空調操作を行う操作用リモートコントローラ３ａ、３ｂ、３ｃと、これらの操作用リモートコントローラ３ａ〜３ｃに接続されるとともに、ファンコイルユニット２ａ〜２ｃの運転状況に応じてセントラル熱源機１を制御する中央制御手段、例えばＣＰＵ４と、一端が操作用リモートコントローラ３ａ〜３ｃに接続されるとともに、他端に後述する商用電源用コンセントに差込み可能なプラグ５ａ１、５ｂ１、５ｃ１を有する信号変換アダプタ５ａ、５ｂ、５ｃとを備えている。
【００１３】
また、このような空調装置が設置される建屋には、図示しない商用電源に接続される商用電源線６と、この商用電源線６に接続され、かつ建屋の任意の位置に設置される商用電源用コンセント７ａ、７ｂ、７ｃ、７ｄとが備えられている。
【００１４】
さらに、前述した操作用リモートコントローラ３ａ〜３ｃは、空調対象エリアの温度を検知して設定温度との偏差に基づき、対応するファンコイルユニット２ａ〜２ｃの風量あるいは熱源媒体の流量を制御する制御出力機能を具備している。
【００１５】
さらにまた、前述したＣＰＵ４は、信号変換アダプタ５ａ〜５ｃと同様の機能、すなわち商用電源線６を介して通信を行う機能を具備している。また、商用電源用コンセント８ｄに差込み可能なプラグ４ａを備えている。
【００１６】
また、前述した信号変換アダプタ５ａ〜５ｃは、自己の電源供給および通信を共通の回線を介して行う構造となっている。
【００１７】
なお、信号変換アダプタ５ａ〜５ｃおよびＣＰＵ４に備えられる機能、すなわち商用電源線６を介して通信を行う機能は周知のものであることから詳細な説明については省略する。
【００１８】
本実施形態にあっては、信号変換アダプタ５ａのプラグ５ａ１を最寄りの商用電源用コンセント７ａ、信号変換アダプタ５ｂのプラグ５ｂ１を最寄りの商用電源用コンセント７ｂ、信号変換アダプタ５ｃのプラグ５ｃ１を最寄りの商用電源用コンセント７ｃ、ＣＰＵ４のプラグ４ａを最寄りの商用電源用コンセント７ｄにそれぞれ差込む。これにより、ＣＰＵ４、商用電源用コンセント７ａ〜７ｄ、商用電源線６、信号変換アダプタ５ａ〜５ｃ、および操作用リモートコントローラ３ａ〜３ｃ間に通信経路が構築され、操作用リモートコントローラ３ａ〜３ｃおよびＣＰＵ４は互いに出力信号の送受信を行い、セントラル熱源機１の運転制御、ファンコイルユニット２ａ〜２ｃの運転・停止状態、実際の吹出し風量、設定吹出し風量、実際の室内温度、設定室内温度、冷暖房運転モード等の監視機能、運転・停止制御、設定室内温度の変更制御、設定吹出し風量の変更制御、冷暖房運転モードの切替え制御が行われる。また、セントラル熱源機１およびファンコイルユニット２ａ〜２ｃの監視・制御状態は図示しない表示器により表示され、利用者はこの表示に基づき空調操作を行うようになっている。
【００１９】
本実施形態によれば、商用電源線６を介して通信を行う機能を有する信号変換アダプタ５ａ〜５ｃおよびＣＰＵ４を備えることにより、操作用リモートコントローラ３ａ〜３ｃとＣＰＵ４との間の通信経路を容易に構築することができ、特に、既設の空調設備に改めて通信経路を構築する場合や、一部新規に増設したファンコイルユニットと中央制御手段、すなわちＣＰＵを接続するために通信経路を構築する場合に容易に対応することができる。
【図面の簡単な説明】
【００２０】
【図１】本発明に係る空調装置の一実施形態を示す概略構成図である。
【符号の説明】
【００２１】
１  セントラル熱源機
２ａ〜２ｃ  ファンコイルユニット
３ａ〜３ｃ  操作用リモートコントローラ
４  ＣＰＵ（中央制御手段）
５ａ〜５ｃ  信号変換アダプタ
５ａ１〜５ｃ１  プラグ
６  商用電源線
７ａ〜７ｄ  商用電源用コンセント
【図１】
2008089267.tif 000003